(57)【要約】【課題】端子の保持力を確保でき、端子収容室内での端子の動きを抑制することができるコネクタを提供する。【解決手段】ハウジング３と、このハウジング３の内部に設けられた端子収容室５と、ハウジング３の一側面側から挿入され端子収容室５内に挿入される端子７とを備えたコネクタ１において、端子収容室５が、端子７が挿入される挿入方向と直交する方向のうち上下方向の下方に撓み可能に設けられ箱部９に係合される第１係止ランス１１と、端子７が挿入される挿入方向と直交する方向のうち左右方向の両側に撓み可能に設けられ箱部９に係合される一対の第２係止ランス１３，１３とを有した。【選択図】図８
2016046181.tif 000002
【特許請求の範囲】
【請求項１】
ハウジングと、このハウジングの内部に設けられた端子収容室と、前記ハウジングの一側面側から挿入され前記端子収容室内に挿入される端子とを備えたコネクタであって、
前記端子は、前記ハウジングの他側面側に配置される箱部を有し、
前記端子収容室は、前記端子が挿入される挿入方向と直交する方向のうち上下方向の少なくともいずれか一方に撓み可能に設けられ前記箱部に係合される第１係止ランスと、前記端子が挿入される挿入方向と直交する方向のうち左右方向の両側に撓み可能に設けられ前記箱部に係合される一対の第２係止ランスとを有することを特徴とするコネクタ。
【請求項２】
請求項１記載のコネクタであって、
前記第１係止ランスには、前記端子の挿入方向に向けて傾斜された傾斜部が設けられ、前記一対の第２係止ランスには、互いの対向する方向に向けて突設された突部がそれぞれ設けられ、
前記端子の箱部には、前記第１係止ランスの傾斜部に係合される係止突起と、前記一対の第２係止ランスの突部に係合される係止凹部とが設けられていることを特徴とするコネクタ。
【発明の詳細な説明】
【技術分野】
【０００１】
本発明は、コネクタに関する。
【背景技術】
【０００２】
従来、コネクタとしては、ハウジングと、このハウジングの内部に設けられた端子収容室と、ハウジングの一側面側から挿入され端子収容室内に挿入される端子とを備えたものが知られている（例えば、特許文献１参照）。
【０００３】
このコネクタでは、端子収容室内の下方に撓み可能に係止ランスが設けられ、この係止ランスに端子に設けられた係止突部が係合されることにより、端子収容室からの端子の抜け止めがなされている。
【先行技術文献】
【特許文献】
【０００４】
【特許文献１】特開２００４−１４３０４号公報
【発明の概要】
【発明が解決しようとする課題】
【０００５】
しかしながら、上記特許文献１のようなコネクタでは、端子収容室内の１箇所に設けられた係止ランスによって端子の抜け止めがなされているので、端子を端子収容室に保持する部分が少なく、端子の保持力を確保することが困難であり、振動などの外力が加わった場合、端子が端子収容室内で大きく動いてしまう可能性があった。
【０００６】
そこで、この発明は、端子の保持力を確保でき、端子収容室内での端子の動きを抑制することができるコネクタの提供を目的としている。
【課題を解決するための手段】
【０００７】
請求項１記載の発明は、ハウジングと、このハウジングの内部に設けられた端子収容室と、前記ハウジングの一側面側から挿入され前記端子収容室内に挿入される端子とを備えたコネクタであって、前記端子は、前記ハウジングの他側面側に配置される箱部を有し、前記端子収容室は、前記端子が挿入される挿入方向と直交する方向のうち上下方向の少なくともいずれか一方に撓み可能に設けられ前記箱部に係合される第１係止ランスと、前記端子が挿入される挿入方向と直交する方向のうち左右方向の両側に撓み可能に設けられ前記箱部に係合される一対の第２係止ランスとを有する。
【０００８】
このコネクタでは、端子収容室が、上下方向の少なくともいずれか一方に撓み可能に設けられ端子の箱部に係合される第１係止ランスと、左右方向の両側に撓み可能に設けられ端子の箱部に係合される一対の第２係止ランスとを有するので、端子収容室内で端子が少なくとも３箇所で係止され、端子収容室内における端子の保持力を確保することができる。
【０００９】
また、端子の箱部は、第１係止ランスと一対の第２係止ランスとによって、上下方向の少なくとも一方と左右方向の両側とを係止されるので、振動などの外力が加わったとしても、端子が端子収容室内で動くことを大幅に規制することができる。
【００１０】
従って、このようなコネクタでは、端子が端子収容室内で少なくとも３箇所で係止されるので、端子の保持力を確保でき、端子収容室内での端子の動きを抑制することができる。
【００１１】
請求項２記載の発明は、請求項１記載のコネクタであって、前記第１係止ランスには、前記端子の挿入方向に向けて傾斜された傾斜部が設けられ、前記一対の第２係止ランスには、互いの対向する方向に向けて突設された突部がそれぞれ設けられ、前記端子の箱部には、前記第１係止ランスの傾斜部に係合される係止突起と、前記一対の第２係止ランスの突部に係合される係止凹部とが設けられていることを特徴とする。
【００１２】
このコネクタでは、端子の箱部に、第１係止ランスの傾斜部に係合される係止突起と、一対の第２係止ランスの突部に係合される係止凹部とが設けられているので、端子が端子収容室から抜け出すことを確実に防止することができる。
【００１３】
また、第１係止ランスの傾斜部と係止突起との係合では、端子の上下方向の動きを確実に規制することができると共に、一対の第２係止ランスの突部と係止凹部との係合では、端子の左右方向の動きを確実に規制することができる。
【発明の効果】
【００１４】
本発明によれば、端子の保持力を確保でき、端子収容室内での端子の動きを抑制することができるコネクタを提供することができるという効果を奏する。
【図面の簡単な説明】
【００１５】
【図１】本発明の実施の形態に係るコネクタのハウジングの斜視図である。
【図２】本発明の実施の形態に係るコネクタのハウジングの断面図である。
【図３】（ａ）は本発明の実施の形態に係るコネクタのハウジングの横断面図である。（ｂ）は本発明の実施の形態に係るコネクタのハウジングの縦断面図である。
【図４】（ａ），（ｂ）は本発明の実施の形態に係るコネクタの端子の斜視図である。
【図５】（ａ）は本発明の実施の形態に係るコネクタの端子の縦断面図である。（ｂ）は本発明の実施の形態に係るコネクタの端子の横断面図である。
【図６】（ａ）は本発明の実施の形態に係るコネクタの正面図である。（ｂ）は本発明の実施の形態に係るコネクタの断面図である。
【図７】図６（ｂ）の要部拡大図である。
【図８】本発明の実施の形態に係るコネクタの断面図である。
【図９】図８の要部拡大図である。
【発明を実施するための形態】
【００１６】
図１〜図９を用いて本発明の実施の形態に係るコネクタについて説明する。
【００１７】
本実施の形態に係るコネクタ１は、ハウジング３と、このハウジング３の内部に設けられた端子収容室５と、ハウジング３の一側面側から挿入され端子収容室５内に挿入される端子７とを備えている。
【００１８】
また、端子７は、ハウジング３の他側面側に配置される箱部９を有する。
【００１９】
そして、端子収容室５は、端子７が挿入される挿入方向と直交する方向のうち上下方向の下方に撓み可能に設けられ箱部９に係合される第１係止ランス１１と、端子７が挿入される挿入方向と直交する方向のうち左右方向の両側に撓み可能に設けられ箱部９に係合される一対の第２係止ランス１３，１３とを有する。
【００２０】
また、第１係止ランス１１には、端子７の挿入方向に向けて傾斜された傾斜部１５が設けられ、一対の第２係止ランス１３，１３には、互いの対向する方向に向けて突設された突部１７，１７がそれぞれ設けられている。
【００２１】
そして、端子７の箱部９には、第１係止ランス１１の傾斜部１５に係合される係止突起１９と、一対の第２係止ランス１３，１３の突部１７，１７に係合される係止凹部２１，２１とが設けられている。
【００２２】
図１〜図９に示すように、ハウジング３は、合成樹脂などの絶縁性材料からなり、筐体状に形成され、端子７の箱部９に挿入されるタブ状の接続部を有する雄型端子からなる相手端子（不図示）を収容する相手ハウジング（不図示）と嵌合可能となっている。
【００２３】
このハウジング３の内部には、複数の端子収容室５が形成され、各端子収容室５内に端子７を収容した状態で、相手ハウジングと嵌合することにより、端子７と相手端子とが電気的に接続される。
【００２４】
端子収容室５は、ハウジング３の幅方向に複数列配置されると共に、ハウジング３の高さ方向に２段配置されている。また、端子収容室５の中央部には、端子収容室５内に端子７が挿入された状態で、端子７を二重係止するスペーサ２３が挿入されるスペーサ挿入孔２５が上下の端子収容室５，５を貫通し下方に向けて開口されるように設けられている。
【００２５】
この端子収容室５には、ハウジング３の一側面側に設けられた端子挿入口２７から端子７が挿入され、ハウジング３の他側面側に設けられたタブ挿入口２９と端子７の箱部９とが一致するように端子７が収容される。
【００２６】
端子７は、導電性材料からなり、一端側に電源や機器などに接続された電線（不図示）に圧着されて電気的に接続される圧着部が設けられ、他端側に四角形状に形成された箱部９が設けられた雌型端子となっている。
【００２７】
この端子７は、箱部９内に撓み可能に設けられた接点バネ部３１が設けられている。この箱部９には、ハウジング３と相手ハウジングとを嵌合させることにより、タブ挿入口２９から挿入される相手端子のタブ状の接続部が挿入され、タブ状の接続部と接点バネ部３１とが接触することによって、端子７と相手端子とが電気的に接続される。
【００２８】
このようにハウジング３の複数の端子収容室５内に収容される複数の端子７は、各端子収容室５内に設けられた第１係止ランス１１と、一対の第２係止ランス１３，１３とがそれぞれ箱部９に係合することによって、端子収容室５からの端子７の抜け止めがなされている。
【００２９】
なお、箱部９の圧着部側の端部には、ハウジング３のスペーサ挿入孔２５から挿入されるスペーサ２３と係合されるスペーサ係止部３３が設けられ、端子７が端子収容室５に収容された状態で、スペーサ係止部３３がスペーサ２３に係合されることにより端子７が端子収容室５内で二重係止される。
【００３０】
第１係止ランス１１は、端子収容室５内の下壁に上下方向に撓み可能に設けられている。この第１係止ランス１１の自由端側には、上部が端子７の挿入方向前方側に位置され、下部が端子７の挿入方向後方側に位置され、上部から下部にかけて下り傾斜となるように傾斜された傾斜部１５が設けられている。
【００３１】
この第１係止ランス１１は、端子７が端子挿入口２７から挿入されると、上面側が端子７の箱部９と当接して下方に向けて撓まされ、端子７が端子収容室５の正規位置に収容されると、上方に向けて復元し、傾斜部１５が箱部９に設けられた係止突起１９に係合して端子７の端子収容室５からの抜け止めを行う。
【００３２】
なお、第１係止ランス１１の傾斜部１５の前方（図７における左側）には、解除部３５が延設されており、タブ挿入口２９側から治具などを挿入し、解除部３５を下方に向けて押圧することによって、第１係止ランス１１を下方に向けて撓ませ、第１係止ランス１１による端子７の係止を解除することができる。
【００３３】
係止突起１９は、端子７の箱部９の上壁に貫通して設けられたランスホール３７の縁部のうち端子７の挿入方向前方側の縁部に位置され、箱部９の外方に向けて突設されている。この係止突起１９は、第１係止ランス１１の復元によってランスホール３７内に挿入される傾斜部１５に係合される。
【００３４】
この係止突起１９と傾斜部１５との係合は、傾斜部１５が端子７の挿入方向前方に向けて傾斜されているので、互いの係合面が上下方向に係合されている。このため、端子７の端子収容室５からの抜け止めを行いつつ、端子７が端子収容室５内で上下方向に動くことを規制することができる。
【００３５】
一対の第２係止ランス１３，１３は、端子収容室５内の両側壁に左右方向に撓み可能に設けられている。この一対の第２係止ランス１３，１３の自由端側には、それぞれ端子７の挿入方向と抜け出し方向とに傾斜面を有するように三角形状に形成された突部１７，１７が端子収容室５の内部に向けて突設されている。
【００３６】
この一対の第２係止ランス１３，１３は、端子７が端子挿入口２７から挿入されると、突部１７，１７が端子７の箱部９と当接して端子収容室５の外方（左右方向）に向けて撓まされ、端子７が端子収容室５の正規位置に収容されると、内方に向けて復元し、突部１７，１７が箱部９に設けられた係止凹部２１，２１に係合して端子７の端子収容室５からの抜け止めを行う。
【００３７】
係止凹部２１，２１は、端子７の箱部９の両側壁にそれぞれ凹状に設けられている。この係止凹部２１，２１には、一対の第２係止ランス１３，１３の復元によって第２係止ランス１３，１３の突部１７，１７がそれぞれ係合される。
【００３８】
この係止凹部２１，２１と突部１７，１７との係合は、端子７の箱部９を左右方向から挟持するように係合されている。このため、端子７の端子収容室５からの抜け止めを行いつつ、端子７が端子収容室５内で左右方向に動くことを規制することができる。
【００３９】
なお、端子７を端子収容室５から抜き出す際には、第１係止ランス１１の解除部３５を治具などによって下方に向けて押圧して第１係止ランス１１の係止を解除させ、端子７を端子収容室５から引き抜くことにより、一対の第２係止ランス１３，１３の突部１７，１７と係止凹部２１，２１との係合を解除することができる。
【００４０】
このように第１係止ランス１１と一対の第２係止ランス１３，１３との３箇所によって端子７を係止することにより、端子収容室５に対する端子７の保持力を向上することができ、振動などの外力に対する端子収容室５内での端子７の動きを大幅に抑制することができる。
【００４１】
このようなコネクタ１では、端子収容室５が、下方に撓み可能に設けられ端子７の箱部９に係合される第１係止ランス１１と、左右方向の両側に撓み可能に設けられ端子７の箱部９に係合される一対の第２係止ランス１３，１３とを有するので、端子収容室５内で端子７が３箇所で係止され、端子収容室５内における端子７の保持力を確保することができる。
【００４２】
また、端子７の箱部９は、第１係止ランス１１と一対の第２係止ランス１３，１３とによって、下方と左右方向の両側とを係止されるので、振動などの外力が加わったとしても、端子７が端子収容室５内で動くことを大幅に規制することができる。
【００４３】
従って、このようなコネクタ１では、端子７が端子収容室５内で３箇所で係止されるので、端子７の保持力を確保でき、端子収容室５内での端子７の動きを抑制することができる。
【００４４】
また、端子７の箱部９には、第１係止ランス１１の傾斜部１５に係合される係止突起１９と、一対の第２係止ランス１３，１３の突部１７，１７に係合される係止凹部２１，２１とが設けられているので、端子７が端子収容室５から抜け出すことを確実に防止することができる。
【００４５】
また、第１係止ランス１１の傾斜部１５と係止突起１９との係合では、端子７の上下方向の動きを確実に規制することができると共に、一対の第２係止ランス１３，１３の突部１７，１７と係止凹部２１，２１との係合では、端子７の左右方向の動きを確実に規制することができる。
【００４６】
なお、本発明の実施の形態に係るコネクタでは、第２係止ランスに突部が設けられ、端子の箱部に係止凹部が設けられているが、これに限らず、端子の箱部に突部を設け、第２係止ランスに突部と係合する係止凹部を設けてもよい。
【００４７】
また、端子は、箱部内に撓み可能に接点バネ部が設けられた雌型端子となっているが、これに限らず、箱部の先端側にタブ状の接続部を有する雄型端子であってもよい。
【００４８】
さらに、第１係止ランスは、端子収容室内の下方に設けられているが、これに限らず、第１係止ランスを端子収容室内の上方に設ける、或いは一対の第１係止ランスを端子収容室内の上下方向の両側に設けてもよい。
【符号の説明】
【００４９】
１…コネクタ
３…ハウジング
５…端子収容室
７…端子
９…箱部
１１…第１係止ランス
１３…第２係止ランス
１５…傾斜部
１７…突部
１９…係止突起
２１…係止凹部
【図１】
2016046181.tif 000003
【図２】
2016046181.tif 000004
【図３】
2016046181.tif 000005
【図４】
2016046181.tif 000006
【図５】
2016046181.tif 000007
【図６】
2016046181.tif 000008
【図７】
2016046181.tif 000009
【図８】
2016046181.tif 000010
【図９】
2016046181.tif 000011